(57)【要約】　　　（修正有）【課題】家庭内のゴキブリ等の防除したい動物を次世代に繋ぐことが出來ないようにし、退治する事が出來る。また、海中のオニヒトデ、船底等におけるフジツボや貝類、藻類の付着を防止できる。海中でもオニヒトデ其他の害虫を根絶する事が出來る。【解決手段】半減期の長い放射能を帯びた廃棄物を利用して、ゴキブリ、フジツボ、貝類、藻類やオニヒトデ等の防除したい動物の餌を放射能化する。【選択図】なし【特許請求の範囲】
【請求項１】
放射性廃棄物を加工して、遮蔽函の中に上下に設置し、害虫の下腹部に放射能が効く様に、餌を奥に置き上下の間隔は窄くする。
【請求項２】
目的動物が好む食材を放射能加工して缶詰にしたり、鉛のチューブに入れて押し出して使う等、食材の放射能化に依る繁殖防除法。
【請求項３】
放射能を帯びた船底ペイントやＦＲＰを使へば、フジツボや貝類、藻類の船底付着を長期間防止出來る。
【発明の詳細な説明】
【０００１】
【発明の属する技術分野】放射性元素も小分割すれば家庭でも危険はない。
【０００２】
【従来の技術】沖縄で行った地中海ミバエ撲滅作戦はコバルト６０を使用した大掛りなもので、専門知識を必要とし、費用も莫大で一般的でない。
【０００３】
【発明が解決しようとする課題】捨て場所に困っている放射性廃棄物を再利用して、家庭でも安全に使へる害虫駆除器として開発した。
【０００４】
【課題を解決するための手段】放射能を帯びた餌を食べさせ、下腹部を長時間被曝させる様な構造とし、後は動物の繁殖行動を利用する。
【０００５】
【発明の実施の形態】入口に金属の蓋を設け、放射能が漏れない様にする。
【０００６】
【実　施　例】犬や猫の不妊用に使はれない様、分解出來ない構造とする、烏が好むマヨネーズに放射能処理をしても、不妊効果が有り間引出來る。水中でも例へばオニヒトデ等にも有効に働き水産資源を守る事が出來る。放射能型の船底塗料を用いた場合、ブリキを張れば人体への影響は皆無。
【０００７】
【発明の効果】毎年発生するゴキブリ等は二世代で絶滅させる事が出來る、廃物利用の放射能で、半減期も長いため餌だけ変へれば何度でも使える。放射
能ペイントの場合長い間、船を上架する必要ないので経済的である。
【手続補正書】
【提出日】平成14年9月3日(2002.9.3)
【手続補正１】
【補正対象書類名】明細書
【補正対象項目名】特許請求の範囲
【補正方法】変更
【補正の内容】
【特許請求の範囲】
【請求項１】
放射性廃棄物を皿状に加工して、血を含んだ含浸材を敷き、其上に、蚊の嘴が通る様な薄いフイルムを貼る。蒸発と腐敗を防ぐ為に一気圧程度の不活性ガスを充填する、再使用には中央部にバルブを設けて血の補給を行へばよい。
【請求項２】
放射性物質を加工して、遮蔽函の中に入れ、ゴキブリ等害虫の下腹部に放射能が効く様に、餌を奥に置き上下の間隔は窄くする。
【請求項３】
目的動物が好む食材を放射能加工して缶詰にしたり、鉛のチューブに入れて押し出して使う等、携行に便利な、餌の放射能化に依る繁殖防除法。及び、餌を放射能化する為の装置。
【請求項４】
放射能を帯びた船底ペイントやＦＲＰを使へば、フジツボや貝類の船底付着を防止出來る。金属や水の隔壁を設ければ人には無害。
【手続補正書】
【提出日】平成14年11月20日(2002.11.20)
【手続補正１】
【補正対象書類名】明細書
【補正対象項目名】全文
【補正方法】変更
【補正の内容】
【発明の詳細な説明】
【特許請求の範囲】
【請求項１】放射能砂を洗浄脱臭してガラス管に入れ、動物の血を流入させ、血の放射能化が予定値になる迄時間を掛ける。又は放射性廃棄物のトンネルを造り、其の中を低温にしてベルトコンベアに食材を載せ、其食材を廻転させながら、ゆっくり移動させれば一様に放射能化する事が出來る。直接法は放射能廃棄物を溶融して底板を作り使用する。
【請求項２】放射能化した動物の血を含浸材に浸し、其上に蚊の嘴が通る様な薄いフイルムを貼り、盆状の缶詰にする。プルタブを引けば開く様な使い勝手を良くする。又蒸発を防ぐ為に一気圧程度の不活性ガスを充填しても良い、猶、動物の体温と同じ様になる、揉んで暖めるカイロを敷いても効果がある。場合に依っては缶底に放射能砂を敷いても良い。
【請求項３】目的動物が好む食材を放射能加工して缶詰にしたり、鉛のチューブに入れて押し出して使う等携行、使用に便利な、餌の放射能化に依る繁殖防除法で、ゴキブリ等には有効で次世代にはいなくなる。
【請求項４】放射能を帯びた灰等を、船底ペイントやＦＲＰに混合したハルはフジツボや貝類藻類の船底付着を防止出來る。
【発明の詳細な説明】
【０００１】
【発明の属する技術分野】危険な放射能物質であるが、製造側は専門知識を持って取り扱い、製品は金属でシールドする事に依り個々の使用者は放射性元素の知識の必要はない。
【０００２】
【従来の技術】１９９４年沖縄で行った地中海ミバエ根絶作戦はコバルト６０を使用した大掛りなものでミバエを捕えて放射能被曝させ、其個体を米軍基地上空よりヘリコプターで散布して、子、孫の代には絶滅させる事が出來た。地中海ミバエ絶滅宣言の為、今迄内地に出荷出來なかった農産物も売れる様になり島民は欣んだが、費用も莫大で専門的知識を必要とし、一般的でなかった。
【０００３】
【発明が解決しようとする課題】対象動物の体重に依り餌の放射能化する量を、必要にして且充分なる条件で、最低限に留める。体内被曝した害虫は繁殖行動に依り自滅する、家庭でも安全使用の害虫駆除器である。
【０００４】
【課題を解決するための手段】遮蔽された容器の上、放射性元素を直接使はづ二次放射能なので、放射能漏れの虞は無く、容器は工夫して鉛のチューブや缶詰にすれば、餌の酸化、腐敗を防ぎ、誘虫の効果は大きい。対象虫のみに作用し、殺虫剤噴霧等に依る、環境に悪影響を与へない。
【０００５】
【発明の実施の形態】防蚊ネットをした檻の中に豚等の哺乳動物を入れて蚊を誘う、盆状の缶詰でプルタブを引き開け、即使用状態の放射能血皿を回転自由なアームに載せ、柱を立てスパンカー（釣船等に付いている後帆）を付ければ、血盆は常に囮り動物の風下にあり効果的である。
又ゴキブリの場合、放射能餌を鉛のチューブや缶詰にしてシールドすれば良い。キャツプを開けておけば出口の小さい所だけたべるので中味は酸化されずに新鮮で、凹んだ分だけ押出してやれば良い。
【０００６】
【実　施　例】放射能血を吸った蚊の卵は孵らず、附近の蚊は絶滅する。鴉が好む脂肉等に放射能処理をしても不妊効果が有り間引き出來る。
水中でもオニヒトデ等の習性、食性を利用して仕掛ければ、激減させる事でが出來る。放射能型の船底塗料を用いた場合、金属板を張り、水隔を付ければ、人体への影響は殆んど無い。
【０００７】
【発明の効果】毎年発生するゴキブリ等は二世代で絶滅させる事が出來る。放射能ペイントの場合長い間、船を上架する必要ないので経済的である。蚊が絶滅すれば、注射針を持つ昆虫は居無くなり、古來より大勢の人々が苦しんで、死んで逝ったマラリヤ、黄熱病、西ナイルウイルス等の病気が無くなりどれだけの人が助かるか謀り知れない。
【手続補正書】
【提出日】平成15年4月14日(2003.4.14)
【手続補正１】
【補正対象書類名】明細書
【補正対象項目名】請求項１
【補正方法】変更
【補正の内容】
【請求項１】
放射性廃棄物を溶融又は電解してチェーンや板等の材料を作り船や海洋工作物に使用する。微量な放射線でも効果は虫の体重に比例するので、フジツボ等の幼生には良く効き、付着しにくくなる。
【手続補正２】
【補正対象書類名】明細書
【補正対象項目名】請求項２
【補正方法】変更
【補正の内容】
【請求項２】
放射能化した動物の血を含浸材に浸し、其上に蚊の嘴が通る様な薄いフイルムを貼り、盆状の缶詰にする。　蚊帳をした囮動物を風上に置き、プルタブを引き血盆を開ければ蚊が集り吸血する、一気圧程度の二酸化炭素を充填したり、動物の体温と同じ様になる揉んで暖めるカイロを敷いても効果がある。吸血した蚊は次世代に子孫を遺せない。
【手続補正書】
【提出日】平成15年7月1日(2003.7.1)
【手続補正１】
【補正対象書類名】明細書
【補正対象項目名】特許請求の範囲
【補正方法】変更
【補正の内容】
【特許請求の範囲】
【請求項１】
放射性廃棄物を溶融又は電解してチェーンや板等の材料を作り船や海洋工作物に使用する。微量な放射線でも効果は虫の体重に反比例するので、フジツボ等の幼生には良く効き、付着しにくくなる。
【請求項２】
放射能化した動物の血を含浸材に浸し、其上に蚊の嘴が通る様な薄いフイルムを貼り、盆状の缶詰にする。　蚊帳をした囮動物を風上に置き、プルタブを引き血盆を開ければ蚊が集り吸血する、一気圧程度の二酸化炭素を充填したり、動物の体温と同じ様になる揉んで暖めるカイロを敷いても効果がある。吸血した蚊は次世代に子孫を遺せない。
【請求項３】
ゴキブリ、白蟻、ヤスデ、蜂、バッタ、キクイムシ、クラゲ、オニヒトデ等、目的動物が好む食材を放射能加工して缶詰にしたり、鉛のチューブに入れて押し出して使う等、携行使用に便利な餌に依る繁殖防除法で、虫の体内に入る為、微量の放射能でも不妊の効果がある。
【請求項４】
放射能を帯びた所謂、死の灰等を、船底ペイントやＦＲＰに混合したハルはフジツボや貝類藻類等の幼生の船底付着を防止出來る。
【手続補正書】
【提出日】平成15年9月17日(2003.9.17)
【手続補正１】
【補正対象書類名】明細書
【補正対象項目名】請求項２
【補正方法】変更
【補正の内容】
【請求項２】
適当な半減期を持つアイソトープ化した動物の血を含浸材に浸し、其上に蚊の嘴が通る様な薄いフイルムを貼り、盆状の缶詰にする。蚊帳をした囮動物を風上に置き、プルタブを引き血盆を開ければ蚊が集り吸血する、二酸化炭素を充填したり、動物の体温と同じ様になるカイロを敷いても効果がある。吸血した蚊は次世代に子孫を遺せない。
【手続補正２】
【補正対象書類名】明細書
【補正対象項目名】請求項３
【補正方法】変更
【補正の内容】
【請求項３】
ゴキブリ、白蟻、ヤスデ、蜂、バッタ、クラゲ、キクイムシ、オニヒトデ等、目的動物が好む食材を適当な半減期を持つアイソトープ化して缶詰加工したり、鉛のチューブに入れて使う等、餌に依る繁殖防除法で、虫の体内に入る為、微量の放射能でも不妊の効果がある。又、白蟻等は羽蟻になる時期に夜間集光性がある事を利用して、ポンプで虫を吸引してタンクに集めアイソトープの照射路を経て外部に出る様にすれば、虫の生殖活動に依り根絶する事が出來る。